(57)【要約】【課題】ブレードなどの電子装置において、着脱自在なブレード内の発熱を効率よく冷却可能な冷却システムを備えた電子装置を提供する。【解決手段】ブレード内に装着される、ＣＰＵを含む複数の半導体デバイスを冷却するサーモサイフォンによる冷却システムを備えたものにおいて、発熱量が比較的大きい半導体デバイスを沸騰部に熱的に直接結合し、比較的発熱量が少ない半導体デバイスは、ヒートパイプを介して沸騰部と熱的に結合することにより、電子措置内の冷却を行う。【選択図】図３
2010080507.tif 000002
【特許請求の範囲】
【請求項１】
比較的発熱量の大きな第１の半導体デバイスと前記第１の半導体デバイスより発熱の小さな第２の半導体デバイスとを有する複数の半導体デバイスを搭載した電子装置であって、前記電子装置内に実装される半導体デバイスを冷却するサーモサイフォン冷却部を備えた電子装置において、
前記第１の半導体デバイスを前記サーモサイフォン冷却部に熱的に結合する第１の外壁面と、
前記第２の半導体デバイスと前記サーモサイフォン冷却部の前記第１の外壁面と異なる第２の外壁面とを熱的に結合するヒートパイプとを備えたことを特徴とする電子装置。
【請求項２】
請求項１記載の電子装置において、前記ヒートパイプは、前記第２の外壁面との結合端部の高さが、前記第１の半導体デバイスとの結合端部の高さよりも上側に位置することを特徴とする電子装置。
【請求項３】
請求項１または請求項２記載の電子装置において、前記ヒートパイプは、前記第２の半導体デバイスの発熱量に応じて、大きさが異なることを特徴とする電子装置。
【請求項４】
請求項１乃至請求項３のいずれかに記載の電子装置において、前記サーモサイフォンは、上部内壁面に凝縮用のフィンを備え、前記凝縮用のフィンは前記電子装置の長手方向に複数列が所定の間隔ｄで設けられていることを特徴とする電子装置。
【請求項５】
請求項４記載の電子装置において、前記サーモサイフォンの前記凝縮用のフィンは、長手方向に所定の間隔Ｐ’で切り欠きが設けられていることを特徴とする電子装置。
【請求項６】
請求項４または請求項５記載のいずれかに記載の電子装置において、前記サーモサイフォンは、前記凝縮用のフィンの下に、前記長手方向に直交する面を有し所定の間隔Ｐで並ぶ案内フィンを備えたことを特徴とする電子装置。
【請求項７】
請求項６記載の電子装置において、前記サーモサイフォンの前記案内フィンは、長手方向に気体状態の冷媒を通過させるための流路を設けていることを特徴とする電子装置。
【請求項８】
請求項４乃至請求項７のいずれかに記載の電子装置において、前記サーモサイフォンは、多孔質の内壁面を有する沸騰部を備え、さらに、前記凝縮フィンからの凝縮液を前記沸騰部に誘導する案内部を備えたことを特徴とする電子装置。
【請求項９】
請求項８記載の電子装置において、前記案内部は、前記凝縮液を前記第２の外壁面の内側の内壁面近傍に誘導する案内部であることを特徴とする電子装置。
【請求項１０】
請求項１乃至請求項９のいずれかに記載の電子装置において、前記サーモサイフォンの前記沸騰部は、前記第１の外壁面の内側の内壁面で発生した気泡状態の冷媒を、前記第１の外壁面の内側の内壁面から、前記第２の外壁面の内側の内壁面に案内するための誘導板を備えたことを特徴とする電子装置。
【請求項１１】
請求項１０記載の電子装置において、前記第１の外壁面の内側の内壁面から、前記第２の外壁面の内側の内壁面に案内するための前記誘導板は、前記第１の外壁面と前記第２の外壁面を補強する支持用の部材を兼ねることを特徴とする電子装置。
【発明の詳細な説明】
【技術分野】
【０００１】
本発明は、ブレードサーバに代表されるように、筐体の内部に多数の発熱素子を着脱自在に装着した電子装置に関し、特に、かかる装置内においても良好な冷却効果が得られる電子装置の冷却構造に関する。
【背景技術】
【０００２】
近年、ブレードサーバに代表される電子装置においては、ブレードと呼ばれる板状の筐体内の回路基板上に中央処理装置（ＣＰＵ：Central Processing Unit ）等の半導体デバイスをメモリや電子部品と共に搭載し、これら複数のブレードを箱状のラック内に高密度で搭載する。なお、近年においては、当該ブレードに搭載される中央処理装置（ＣＰＵ）等の半導体デバイスは、その高集積化、処理能力の高速化、更には、高機能化によって、発熱量を増大している。
【０００３】
一方、半導体デバイスは、一般に、所定の温度を超えると、その性能を維持できなくなる。そして場合によっては、破損することもある。このため、冷却等による温度管理が必要とされ、発熱量の増大する半導体デバイスを効率的に冷却する技術が強く求められている。
【０００４】
なお、ブレードサーバ等の電子装置においては、メンテナンスや、ユーザのニーズに合わせたシステムを柔軟に構築でき、かつ、ユーザ側のニーズの変化に対応して拡張や変更ができることなどを理由として、所謂、ラックマウント方式が広く普及している。さらに、ラックマウント方式では、種々の機能、性能を持った個別の装置を着脱自在に選択、配置して電子装置を構成するものであり、システムの小形化を図りやすい利点を有している。
【０００５】
このような技術背景において、発熱量の増大するＣＰＵ等の半導体デバイスを搭載した電子回路基板（所謂、ブレード）には、ラック内に自在に装着できる機能を有することが求められる。さらに、その冷却装置には、かかるブレードを効率良く冷却することができる高性能な冷却能力が期待されている。なお、従来、空冷式の冷却装置が多く採用されていたが、上述した状況から、既に限界に近づいており、そのため、新たな方式の冷却システムが期待されている。例えば、水等の冷媒を利用した冷却システム、更には相変化する冷媒を封入した密閉管状の部材を用いた冷却方式に注目が集まっている。
【０００６】
本発明に関連する従来技術としては、例えば、特許文献１によれば、上述したラックマウント方式において、ラック内に着脱自在に装着されたＣＰＵブレードの半導体デバイスの熱を、受熱ジャケットを介して、直接、冷却媒体で冷却する技術が、より具体的には、当該受熱ジャケットを、自動開閉バルブを介して、ブレードサーバ内の液冷冷却システムに対して取り外し可能に接続する技術が開示されている。
【０００７】
また、特許文献２にも、サーバを含む電子装置内において、液冷システムを搭載する際のスペースの占有や専用筐体の設置等の問題に対応するための技術が開示されている。
【０００８】
さらに、特許文献３によれば、ＣＰＵブレードの取り外しを容易にするため、外部の冷却システムとＣＰＵブレード上の半導体デバイスとの熱的な接続を、ソケット構成のエキスパンダにより実現する技術が開示され、また、電子部品からの熱を冷却システムに運ぶヒートパイプについての技術も開示されている。
さらにまた、特許文献４には、超大型コンピュータ及びスーパーコンピュータに好適な半導体装置であって、冷却水を供給する配管により、外部の冷却システムと熱的に接続するための技術が開示されている。特許文献４は、さらに、冷媒流の対流あるいは沸騰により熱を除去する冷却技術が開示されている。しかし、発熱部品と冷却器とは、離れては位置され、配管系を介して結合している。
【０００９】
【特許文献１】特開２００２−３７４０８６号公報
【特許文献２】特開２００７−７２６３５号公報
【特許文献３】特開平７−１２２８６９号公報
【特許文献４】特開平６−４１７９号公報
【発明の開示】
【発明が解決しようとする課題】
【００１０】
上述した従来技術では、半導体デバイスの高集積化、処理能力の高速化、更には、高機能化によって、その発熱量の増大が著しいブレードサーバに代表される電子装置においては、必要な冷却能力を得ることが難しくなってきた。なお、特に、近年のブレードサーバでは、メンテナンス等のためにラック内に着脱自在に装着されるＣＰＵブレードは、装置の小型化と軽量化の要求と共に、その容積も更に限られてきており、かかる狭小な空間内においても当該半導体デバイスなどを確実に冷却すると共に、更には、エコロジー対策からも、より効率的で効果的な電子装置のための冷却方法及び冷却装置が強く求められている。また、電子装置に実装されるデバイスの発熱量は、デバイスの種類や用途によって異なるため、発熱量が大きいデバイスと小さいデバイスとで、その冷却方法を変えて、効率よく冷却する必要がある。
【００１１】
本発明の目的は、上述したブレードサーバを含む電子装置において、特に、着脱自在なＣＰＵブレードの半導体デバイスを含む発熱体を効率よく、最適に冷却することを可能にする新規な冷却システムを備えた電子装置を提供することをその目的とする。
【課題を解決するための手段】
【００１２】
すなわち、本発明は、比較的発熱量の大きな第１の半導体デバイスと前記第１の半導体デバイスより発熱の小さな第２の半導体デバイスとを有する複数の半導体デバイスを搭載した電子装置であって、前記電子装置内に実装される半導体デバイスを冷却するサーモサイフォン冷却部を備えた電子装置において、前記第１の半導体デバイスを前記サーモサイフォン冷却部に熱的に結合する第１の外壁面と、前記第２の半導体デバイスと前記サーモサイフォン冷却部の前記第１の外壁面と異なる第２の外壁面とを熱的に結合するヒートパイプとを備えたものである。
【００１３】
また好ましくは、上記発明の電子装置において、前記ヒートパイプは、前記第２の外壁面との結合端部の高さが、前記第１の半導体デバイスとの結合端部の高さよりも上側に位置するものである。
また好ましくは、上記発明の電子装置において、前記ヒートパイプは、前記第２の半導体デバイスの発熱量に応じて、大きさが異なるものである。
【００１４】
また好ましくは、上記発明の電子装置において、前記サーモサイフォンは、上部内壁面に凝縮用のフィンを備え、前記凝縮用のフィンは前記電子装置の長手方向に複数列が所定の間隔ｄで設けられているものである。
また好ましくは、上記発明の電子装置において、前記サーモサイフォンの前記凝縮用のフィンは、長手方向に所定の間隔Ｐ’で切り欠きが設けられているものである。
また好ましくは、上記発明の電子装置において、前記サーモサイフォンは、前記凝縮用のフィンの下に、前記長手方向に直交する面を有し所定の間隔Ｐで並ぶ案内フィンを備えたものである。
また好ましくは、上記発明の電子装置において、前記サーモサイフォンの前記案内フィンは、長手方向に気体状態の冷媒を通過させるための流路を設けているものである。
【００１５】
また好ましくは、上記発明の電子装置において、前記サーモサイフォンは、多孔質の内壁面を有する沸騰部を備え、さらに、前記凝縮フィンからの凝縮液を前記沸騰部に誘導する案内部を備えたものである。
また好ましくは、上記発明の電子装置において、前記案内部は、前記凝縮液を前記第２の外壁面の内側の内壁面近傍に誘導する案内部であるものである。
また好ましくは、上記発明の電子装置において、前記サーモサイフォンの前記沸騰部は、前記第１の外壁面の内側の内壁面で発生した気泡状態の冷媒を、前記第１の外壁面の内側の内壁面から、前記第２の外壁面の内側の内壁面に案内するための誘導板を備えたものである。
また好ましくは、上記発明の電子装置において、前記第１の外壁面の内側の内壁面から、前記第２の外壁面の内側の内壁面に案内するための前記誘導板は、前記第１の外壁面と前記第２の外壁面を補強する支持用の部材を兼ねるものである。
【発明の効果】
【００１６】
以上に述べた本発明によれば、ブレード内に高密度で搭載される発熱体である、ＣＰＵを始めとする各種の半導体デバイスを搭載した電子装置において、効率良く電子装置で発生する熱を外部に輸送することができる。
【発明を実施するための最良の形態】
【００１７】
以下、本発明の実施の形態について、添付の図面を参照しながら、詳細に説明する。なお、本書では、各図の説明において、共通な機能を有する構成要素には同一の参照番号を付し、説明を省略する。
【００１８】
まず、添付の図１には、本発明になる冷却システムが適用される電子装置の代表例として、ブレードサーバ、特に、ラックマウント方式のブレードサーバが、その外観斜視図により示されている。１はラック、２は筐体、３は表扉（蓋体）、４は裏扉（蓋体）、５はシャーシである。
図１において、ラック１は、筐体２と蓋体３、４（３は表扉、４は裏扉）とを含んでいる。ラック１の内部には、例えば、ＩＥＣ（ International Electrical Commission ）規格／ＥＩＡ（ The Electrical Industries Association ）規格などの特定の規格に基づいて、所定の形状と寸法で形成された、複数（本例では３個）のシャーシ５が設けられている。そして、これら複数のシャーシ５の内部には、それぞれ、以下にその詳細を説明するが、個々に所定の機能を備えたブレードが、複数、縦方向に並べられて挿入されている。なお、これらのブレードは、上記シャーシ５内に自在に挿抜が可能であり、そして、選択により、自由に配置して搭載することが可能であり、そのことから、システム構成の柔軟性と拡張性とを併せ持つものである。図１の下段のシャーシ５は、ラック１の表扉３側から出し入れする途中の様子を示している。
【００１９】
次に、添付の図２は、上述したラック１内に設けられるシャーシ５の一つが、その内部に挿抜が可能な複数のブレード６と共に示されている図である。６はブレード、５１はシャーシ５の上面に取り付けられたヒートシンク（サーマルハイウェイ）、５２はシャーシ５のブレード６を収納するためのブレード収納空間、５３はシャーシ５のブレード収納空間５２背面側（裏扉４側）の空間、５４は空間５３を区画するバックボード、５５は空冷凝縮器、５６はファン、５７は配管、５８はポンプ、６１はブレードシャーシ、６３は配線板６２（後述図３参照）に実装された半導体デバイス等の発熱源、６４は各ブレード６毎に設けられたサーモサイフォン、６５はヒートパイプ、６６は信号コネクタ、６７は給電コネクタである。
即ち、図２において、ヒートシンク５１は、上記シャーシ５の上面に取り付けられており、その詳細は後にも説明するが、以後、「サーマルハイウェイ」と呼ぶ。このサーマルハイウェイが、大量の熱を輸送する手段５１を構成するものである。
【００２０】
図２に示すように、上記各シャーシ５は、その正面側（図２の左側）には、その内部に外形略板状の複数（例えば、１０枚前後）のブレード６が挿抜可能な、所謂、ブレード収納空間５２を形成すると共に、その背面側（図２の右側）には、その内部に電源等を含む装置を内蔵するための空間５３（例えば、電源室と言う）を、バックボード５４（後述の図３も参照されたい）によって区画している。そして、当該電源室の更に背面側には、以下に詳細に説明する凝縮器５５（本例では、空冷凝縮器５５とそのファン５６）が、２組、取り付けられている。なお、図２において、配管５７は、サーマルハイウェイ５１と空冷凝縮器５５との間に接続された配管であり、また、ポンプ５８は、後にも詳述するが、空冷凝縮器５５で生成される飽和水を強制的にサーマルハイウェイ５１へ戻すための飽和水（戻し）ポンプを示している。
【００２１】
そして、上記シャーシ５内に挿入される各ブレード６は、やはり上記の図２からも明らかなように、ブレードシャーシ６１上に配線板６２を取り付けた構造を持ち、配線板６２の表面には、例えば、ＣＰＵ（中央演算装置）や各種のＬＳＩ、又はメモリなど、ブレード６の機能を達成するために必要で、かつ、発熱源でもある複数の半導体デバイス（図には、その一部を６３により示す）を搭載している。そして、図２には示さないが、主要な発熱源であるＣＰＵに熱的に接続された状態で（具体的には、この図では、ＣＰＵの表面に接続した状態で）外形略Ｔ字状のサーモサイフォン６４（詳細は後に説明する）が設けられると共に、更には、上記サーモサイフォン６４と熱的に接続され、もって、配線板６２上の半導体デバイス等の発熱源６３からの熱を効率的に上記サーモサイフォン６４に輸送するためのヒートパイプ６５が複数本設けられている。また、信号コネクタ６６及び給電コネクタ６７は、後にも説明するが、上記ブレード６をシャーシ５内に挿入することにより、シャーシ５との間に、自動的に、必要な電気的な接続を得るためにブレード６側に設けたコネクタである。
【００２２】
更に、添付の図３は、上記シャーシ５内に挿入されるブレード６の一つを取り出して、その内部詳細を示す斜視図である。６８はＣＰＵ（中央演算部）、６９は接合部材、６６’は信号コネクタ、６７’は給電コネクタ、６４１は沸騰部、６４２はサーモサイフォン６４の凝縮部（又は、熱的接続部）６４２はサーモサイフォン６４の凝縮部（又は、熱的接続部）、７は凝縮部（又は、熱的接続部）６４２をサーマルハイウェイ５１に熱的に接続するための手段（以降、サーマルコネクタと称する）である。
即ち、図３において、各ブレード６は、上記配線板６２を搭載するブレードシャーシ６１を含んでおり、そして、当該ブレードを構成する上記配線板６２上に搭載された各種のＬＳＩやメモリなどの半導体デバイスの内、特に、上記ブレードでの主な発熱源となる単数又は複数（本例では２個）のＣＰＵ（中央演算部）６８が、上記サーモサイフォン６４の一方の外部側面に、例えば、熱伝導グリース又は熱伝導シートなどの熱伝導性を有する接合部材６９を介して、熱的に接続されている。
【００２３】
また、本例では、上記サーモサイフォン６４の他方の外部側面には、複数のヒートパイプ６５が取り付けられ、かつ、各ヒートパイプ６５の一端は、上記ＣＰＵ６８よりもその発熱量の小さな素子、例えば、ＭＣＨ（ Memory Control Hub ）その他のＬＳＩ（ Large Scale Integrated Circuit ）やメモリ等の素子（図では、一括して、符号６３で示す）の表面に取り付けられている。勿論、サーモサイフォン６４とＣＰＵ６８と同様に、各ヒートパイプ６５の両端と、素子６３及びサーモサイフォン６４間には、例えば、熱伝導グリース又は熱伝導シートなどの接合部材６９を介して、どちら側も熱的に接続（結合）されている。
なお、このヒートパイプ６５と、上記サーモサイフォン６４又は素子６３との取り付け手段（接合手段）としては、例えば、熱伝導性の接着剤や接着テープを利用することが考えられる。即ち、この接合手段としては、ブレードのメンテナンスを考慮し、後に、当該ヒートパイプ６５を、サーモサイフォン６４や素子６３から、比較的容易に、取り外すことができるものであることが好ましい。
【００２４】
また、図３にも示すように、各ヒートパイプ６５は、その内部の冷媒の循環をより促進するために、上記発熱量の小さな素子６３との取り付け位置より、上記サーモサイフォン６４との接続部の位置を上にして、傾斜して取り付けられることが好ましい。即ち、ヒートパイク６５を水平若しくは上昇方向に設け、素子６３側で気化した冷媒（蒸気）が上昇してサーモサイフォン６４側に移動し、サーモサイフォン６４で凝縮した凝縮液が下降して素子６３側に移動するようにするのが良い。
なお、図３において、バックボード５４（図２を参照）は、上述した電源等を含む装置を内蔵するための空間５３（例えば、電源室と言う）を区画する仕切り板であり、図３で示すように、当該バックボード５４には、上記ブレード６側のコネクタ６６、６７に対応する位置に、コネクタ６６’、６７’（信号コネクタ６６’、給電コネクタ６７’）が設けられている。これによって、上記ブレード６をシャーシ５内に挿入することによって、ブレード６とシャーシ５との間には、自動的に、必要な電気的な接続及び機械的な支持が得られる。
【００２５】
また、この図３には、上記サーモサイフォンの断面が示されている。図３の断面が示すように、サーモサイフォン６４は、垂直方向に伸び、その両壁面に上記ＣＰＵ６８とヒートパイプ６５とが熱的に接続される、箱状の沸騰部（又は、冷却部）６４１を有する。また、サーモサイフォン６４は、この沸騰部６４１の上方に配置されて、沸騰部６４１が冷却の結果得る熱量を冷媒の気泡として受け取り、受け取った熱量を、上記大量の熱を輸送する手段であるサーマルハイウェイ５１に熱的に接続するための凝縮部（又は、熱的接続部）６４２とを有する。
なお、図３の凝縮部（又は、熱的接続部）６４２をサーマルハイウェイに熱的に接続するための手段であるサーマルコネクタ（熱伝導接触子）７は、上記サーモサイフォン６４の凝縮部（又は、熱的接続部）６４２を、上記大量の熱を輸送する手段であるサーマルハイウェイ５１に対し、熱的に良好に接続するための手段である。即ち、上記凝縮部（又は、熱的接続部）をサーマルハイウェイに熱的に接続するための手段は、所謂、熱伝導接触子（サーマルコネクタ）であり、その詳細については、後に説明する。
【００２６】
続いて、上記にはその全体概略を説明したが、本発明になる電子装置（特に、サーバ）に適用される冷却システムを構成する各要素の概略について、以下に、個別に説明する。
【００２７】
＜ヒートパイプ＞
添付図４にヒートパイプ６５の構造例をいくつか示す。
添付の図４にも示すように、各ヒートパイプ６５は、その断面を円形（図４（Ａ））、楕円（図４（Ｂ））、矩形（図４（Ｃ））、又は、多角形等に形成した、例えば、銅等の熱伝導率に優れた（高い）金属材料などのチューブ（中空体）の内部空間に、例えば、水などの冷媒を、減（低）圧下で封入（封止）したものである。ヒートパイプ６５の一端を、上記各種のＬＳＩやメモリ等、比較的発熱量の小さい素子６３（図３を参照）に熱的に接続し、他端を上記サーモサイフォン６４に熱的に接続することにより、当該比較的発熱量の小さい素子６３の熱を効果的にサーモサイフォン６４へ輸送する。これらのヒートパイプ６５は、既に説明したように、熱的循環のためには、上記サーモサイフォン６４との接続部を高い位置にし、他端を低い位置に配置することによって傾斜させ、水平若しくは上昇方向、又は上昇するように設置することが好ましい。この配置にすることによって冷媒の流れを促進させることができる。
例えば、熱量を多い気体（気泡）の冷媒は、軽いので、上昇してサーモサイフォン６４に移動し、サーモサイフォン６４で冷却されて発生した凝縮液の冷媒は下降して素子６３に戻る。従って、接続部以外の、冷媒である気体（気泡）や凝縮液が移動する配管部は、その内面が、溝付き管やメッシュウィック等で構成されることが望ましい。例えば、図１７は、ヒートパイプ６５の配管部がメッシュウィックで構成された一例を示す断面図である。図１７では、ヒートパイプ１７０１は、その管体部１７０２の内側に網状の金属のワイヤで形成されたメッシュ部１７０３が配置されている。中央部の空間１７０４が、気体状態の冷媒の通路となり、凝縮液は、メッシュ部１７０３のメッシュに沿って、毛細管現象により下方へ降下する。
【００２８】
なお、ここでは図示はしないが、各ヒートパイプ６５は、上記素子６３及びサーモサイフォン６４との接続部において、内部に封入された冷媒の沸騰及び凝縮を促進するように構成する。例えば、沸騰部（素子６３の接続部）側の接続部のヒートパイプの内壁面を、サーモエクセルＥ（日立電線製：登録商標）などにより、多孔質に形成することが好ましい。また例えば、凝縮部（サーモサイフォン６４）側の接続部のヒートパイプ６５の内壁面を、サーモエクセルＣ（日立電線製：登録商標）などにより、多孔質に形成することが好ましい。また、上述したヒートパイプ６５の接続部での沸騰及び凝縮のメカニズムは、後述するサーモサイフォンと同様の原理である。
【００２９】
＜サーモサイフォン＞
添付の図５は、上記サーモサイフォンの内部詳細を説明するための図である。図５（Ａ）及び（Ｂ）には、上記サーモサイフォン６４の内部詳細を示す。６４３は凝縮フィン、６４４は凝縮液排除／案内フィン、６４５と６４５’は蒸気流路、６４６は多孔質の内壁面、６５２は沸騰領域である。また図５（Ａ）はサーモサイフォン６４の上部を説明するため内部が見えるように描いた分解斜視図、図５（Ｂ）はサーモサイフォン６４を表扉３側から見た場合の断面図である。
即ち、図５において、サーモサイフォン６４は、上記ヒートパイプ６５と同様に、例えば、銅等の熱伝導率に優れた（熱伝導率が高い）金属材料などから形成され、垂直方向に伸びた沸騰部（又は、冷却部）６４１と、上記沸騰部の上方に位置し、以下にも説明するサーマルハイウェイ５１の下面（熱伝達面）に沿って伸びた凝縮部（又は、熱的接続部）６４２とから構成されている。そして、図５（Ａ）にも示すように、凝縮部（又は、熱的接続部）６４２の内壁の上面には、その一方向（例えば、長手方向：表扉３−裏扉４の方向）に沿って、複数の凝縮フィン６４３が所定の間隔（例えば、等間隔（間隔＝ｄ））で形成されている。凝縮フィン６４３は、例えば、サーモエクセルＣ（日立電線製：登録商標）などにより、作成される。
【００３０】
更に、これら凝縮フィン６４３の伸びた方向（長手方向）に直交して、複数の凝縮液排除／案内フィン６４４が、例えば等間隔（間隔＝Ｐ）で、取り付けられている。また、上記の凝縮液排除／案内フィン６４４は、上記の沸騰部（又は、冷却部）６４１の内部の下方（即ち、冷媒が液体として存在する空間）にまで延びている。また、凝縮液排除／案内フィン６４４の中央部は、「Ｕ」字形に切り欠かれ、長手方向に蒸気が通過できるようにした蒸気流路となっている。
上記凝縮液排除／案内フィン６４４の間隔Ｐは、次の式（１）によって臨界波長λを算出し、臨界波長λと等しい長さ若しくは臨界波長λ未満の長さ（Ｐ≦λ）とする。
【００３１】
【数１】
2010080507.tif 000003
なお、ここで、λは臨界波長、σは表面張力、ｇは重力加速度、ρは密度、ρＬは液体の密度、ρｖは気体の密度である。
２０℃の時の純水の物性では、間隔Ｐは、約１７．４ｍｍとなる。
図５（Ａ）のように、間隔Ｐを臨界波長λと等しい長さ若しくは臨界波長λ未満の長さで、凝縮液排除／案内フィン６４４を配置することにより、凝縮液が落下し易くなる。
【００３２】
図５（Ｂ）には、上記サーモサイフォン６４の沸騰部（又は、冷却部）６４１を含む断面が示されており、図からの明らかなように、断面形状が略「Ｔ」字状の上述したサーモサイフォンにおいて、上記凝縮部（又は、熱的接続部）６４２から下方に、即ち、垂直方向に伸びた沸騰部（又は、冷却部）６４１は、その内壁面には、上述したサーモエクセルＥ（日立電線製：登録商標）などにより、多孔質の内壁面６４６が形成されている。なお、この図５（Ｂ）には、サーモサイフォン６４の沸騰部（又は、冷却部）６４１が、その一方の壁面（図の左側）において、配線板６２上に搭載され、かつ、ブレードの主なる発熱源である２個のＣＰＵ６８の表面に、熱伝導グリース又は熱伝導シートなどの熱伝導性を有する接合部材６９を介して接続されており、加えて、その他方の壁面（図の右側）には、上記各種のＬＳＩやメモリなどの比較的発熱量の小さい素子６３からの熱を輸送するヒートパイプ６５が取り付けられた状態が示されている。
なお、配線板６２は、ＣＰＵ６８の他、これら比較的発熱量の小さい素子６３も同一面に実装している。
また、接合部材６５１は、これらヒートパイプ６５を上記サーモサイフォン６４の外面に取り付けるためのものであり、例えば、熱伝導性の接着剤や接着テープを利用することが可能である。さらに、ここでは図示しないが、上記サーモサイフォン６４の表面の一部に溝部などを予め形成しておき、当該溝部にヒートパイプを挿入して固定することも可能であろう。
【００３３】
図５において、サーモサイフォン６４の内部には、例えば、純水などの冷媒が、減（低）圧下で封入（封止）されており、これにより、その内部の冷媒は、主な発熱源であるＣＰＵ６８からの熱、更には、各種のＬＳＩやメモリなどの素子６３からの熱により、上記沸騰部（又は、冷却部）６４１の沸騰領域（上記伝熱面６４６により取り囲まれた部分）６５２において沸騰し、沸騰した冷媒は気泡状態となって上昇し、上記凝縮部（又は、熱的接続部）６４２に移動する。上記凝縮部（又は、熱的接続部）６４２に移動した気泡状態の冷媒は、その熱をサーマルハイウェイ５１に伝達し、凝縮されて再び液体（凝縮液）に戻り、上記凝縮液排除／案内フィン６４４を伝い落ちて沸騰部６４１の沸騰領域６５２へ戻る。このように、液体と気体の２相の状態で循環を繰り返すことにより、ブレードの主な発熱部であるＣＰＵ６８を含めた配線板６２上の各種素子６３からの熱は、効率的に集められて、上記のサーマルハイウェイ５１へ輸送されることとなる。
なお、図５（Ｂ）の、その直下に沸騰部６４１がない凝縮フィン６４３部分では、凝縮液は凝縮部６２２の下面に落下する。このため、落下した液体が速やかに沸騰部６４１に戻るように、凝縮部６２２の下面には、傾斜が設けられている。
【００３４】
従来の空冷式のブレードでは、ブレード内部にファン等で冷却風を強制的に流し、それぞれ、素子毎に放熱フィンを取り付けて放熱させていた。このため、ブレード及び配線板の設計に当たり、各素子のレイアウトを検討する場合に、冷却についての配慮が必要であった。例えば、発熱量が大きく動作温度限界が低いＣＰＵを冷却風の上流側に設け、冷却風の温度上昇の影響を受けさせないようにする必要があった。さらに、空冷用のフィンが乱立し、風路圧損が大きくなるため大きなファン駆動力若しくは高いファン回転数を要し、さらに、余分な配線の引き回しがあるので、配線板の面積も大きかった。
しかし、図５の実施例によれば、ほぼ、電気的な伝送特性を検討するだけのレイアウト検討で良く、レイアウトの時間の短縮、設計の自由度の増大が可能である。さらに、配線板の面積も小さくでき、消費電力も低減できる。
【００３５】
なお、図５の実施例では、凝縮液排除／案内フィン６４４は、凝縮フィン６４３の突端部から下方に取り付けられ、凝縮フィン６４３の隙間には、蒸気流路６４５’が長手方向に伸びている。しかし、凝縮液排除／案内フィン６４４が、もっと上まであっても良く、例えば、凝縮フィン６４３の隙間（蒸気流路６４５’）が無いようにしても良い。また、例えば、凝縮液排除／案内フィン６４４の並びの１つおき、若しくは所定の数おきに蒸気流路６４５’を設けても良い。
また、図５に示したサーモサイフォンの形状は、図５（Ｂ）において略Ｔ字状であると述べた。さらに、図５（Ａ）及び図２に図示したように、長手方向に直交する方向から見ても、略Ｔ字状である。この形状は、上方の凝縮部６４２では、熱交換に使用する面が上面部であり、サーマルコネクタ７を介してサーマルハイウェイ５１に伝熱する面積を広くしたいためである。また下方の膨張部６４２は、側面部が熱交換に使用する面であるので、縦長として面積を広くしたいためである。
従って、サーモサイフォンの形状は、図５等の実施例では、略Ｔ字状としたが、勿論、非対称形でも良いし、Ｔ字の片側が無い逆Ｌ字状でも良い。
【００３６】
＜サーマルハイウェイ＞
次に、添付の図６により、上記サーマルハイウェイ５１内部の詳細な構造について説明する。５１２はチャンバ、５１３は液散布管（又は液分配供給管）、５１４は気化促進部、５１５と５１６は配管、５１８はノズルである。
図６において、サーマルハイウェイ５１は、上記サーモサイフォンと同様に、銅等の熱伝導率に優れた（高い）金属材料などから形成された板状のチャンバ（筐体）５１２を備えると共に、その内部空間には、液散布管（又は、液分配供給管）５１３を配置し、更に、その底面には、当該液散布管５１３に沿って、多孔質体からなる気化促進体５１４が複数設けられている。
そして、上記チャンバ（筐体）５１２の一部には、その内部で発生した冷媒の蒸気を以下にも説明する凝縮器５５へ導くための配管５１５が取り付けられ、また、上記液散布管（又は、液分配供給管）５１３の一端には、上記凝縮器５５から凝縮された液状冷媒を導くための配管５１６が取り付けられている。
また、図６におけるポンプ５８は、上記凝縮器５５からの凝縮液を強制的に液散布管５１３へ送り込むためのポンプ（飽和水ポンプ）である。そして、上記液散布管５１３の下面側に形成された複数のノズル（噴流ノズル）５１８は、この図からは、上記気化促進体５１４の位置に対応して形成されていることが分かる。
【００３７】
即ち、上記サーマルハイウェイ５１は、上述した複数のサーモサイフォン６４から輸送される熱により、上記液散布管５１３から滴下される凝縮液をその気化促進体５１４を介して効率的に気化（蒸発）し、当該気化した冷媒蒸気を、配管５１５を介して、凝縮器５５へ輸送する。即ち、サーマルハイウェイ５１は、この動作を繰り返すことにより、上記複数のサーモサイフォン６４から輸送されたブレードからの大量の熱を、効率的に、凝縮器５５へ輸送する気化式（相変化型）熱輸送デバイスである。
【００３８】
なお、上述したサーマルハイウェイ５１は、その他、上記サーモサイフォン６４やヒートパイプ６５と同様に、そのチャンバ５１２内の圧力は、液状冷媒である純水のほぼ飽和蒸気圧力に保たれる。即ち、純水の飽和蒸気圧力は、１００℃で１０１０００Ｐａ、６０℃で１９９００Ｐａ、５０℃で１２３００Ｐａ、４０℃で７３８０Ｐａであるので、チャンバ使用時の温度を４０〜６０℃とすると、チャンバ内は大気圧（１００℃の飽和蒸気圧）の約１／１０程度に保たれることとなる。
【００３９】
＜サーマルコネクタ＞
サーマルコネクタ（熱伝導接触子）７（図３を参照）は、上述したブレード６をシャーシ５内に挿入してその取り付けを行った際、ブレード６側に設けられた上記サーモサイフォン６４、特に、その凝縮部（又は、熱的接続部）６４２の上面と、上記サーマルハイウェイ５１の底面との間を、熱的に良好に接続するために用いられる手段である。
その熱的接続のメカニズムについて、添付の図７を用いて説明する。図７は、本発明の電子装置用冷却システムを構成するサーマルコネクタの構造の一例を示す断面図である。７０１はバルーン、７０２は板状部材、７０３は熱伝導性のグリース、７０４はＯリング、７０５は熱伝導性の接着剤、７０６は熱伝導性部材、７１１は図を上方と下方とに区別する矢印である。熱伝導性部材７０６は、例えば、熱伝導性のグリース又は熱伝導性のシートである。また、図７の上方はブレード６がシャーシ５に挿入される直前の図で、矢印７１１の下方は、ブレード６がシャーシ５に挿入された状態の図である。
【００４０】
例えば、図７の上方に示すように、このサーマルコネクタ７は、上記サーモサイフォン６４の凝縮部６４２の上面に取り付けられた、バルーン７０１と板状部材７０２とから構成されている。バルーン７０１は、例えば、銅、アルミニウム、あるいはカーボングラファイトなど、熱伝導率に優れた材料からなり、板状部材７０２も、やはり、バルーン７０１と同様に、熱伝導率に優れた材料からなり、板状若しくは棒状の部材である。
上記バルーン７０１の内部には、熱伝導性のグリース７０３が充填されており、かつ、その一端（図の右端）には、Ｏリング７０４が設けられている。更に、バルーン７０１の下面とサーモサイフォン６４の凝縮部６４２の上面との間には、熱伝導性の接着剤７０５が設けられている。かつ、バルーン７０１の上面とサーマルハイウェイ５１との接触面には、熱伝導性のグリース又はシート７０６が設けられている。
【００４１】
上述したサーマルコネクタ７によれば、図７の下方にも示すように、ブレード６をシャーシ５内に挿入することにより、Ｏリング７０４を介して、上記板状部材７０２がバルーン７０１の内部に挿入され、バルーン７０１内部のグリース７０３が加圧されてバルーン７０１が膨張（図７の矢印の下方を参照）し、もって、上記サーモサイフォン６４と上記サーマルハイウェイ５１との間に、熱的に良好に接続状態を確保することが可能になる。
【００４２】
＜凝縮器＞
凝縮器５５は、ブレードサーバ内において、各ブレード６のＣＰＵや各種のＬＳＩを含めた、多数の発熱源からの熱を集めて輸送する上記サーマルハイウェイ５１の熱を、更に、当該サーバの外部へ輸送するための手段を構成しており、その方式としては、例えば、添付の図８（Ａ）に示す空冷式のもの（空冷凝縮器）や図８（Ｂ）に示す水冷式のもの（水冷凝縮器）が採用される。
図８によって、本発明の電子装置の冷却システムに使用する凝縮器を説明する。図８は、本発明の電子装置用冷却システムを構成する凝縮器の構造の例を示す断面図である。５５’は水冷凝縮器、５９はポンプ、１００と１００’はフリークーリング放熱器である。
【００４３】
まず、図８（Ａ）に示す空冷凝縮器５５は、図にも明らかなように、配管の間に多数のフィンを設けた凝縮部と、それに空気を供給するファン５６とから構成されており、もって、後にも説明する外部の冷却システムである、例えば、フリークーリングシステムを構成するフリークーリング放熱器１００（空冷式）へ、上記サーマルハイウェイ５１の熱へ輸送する。
【００４４】
他方、図８（Ｂ）に示す水冷凝縮器５５’は、図にも明らかなように、凝縮器５５’内において、供給される液状冷媒に熱を伝達し、もって、後にも説明する外部の冷却システムであるフリークーリングシステムを構成するフリークーリング放熱器１００’（水冷式）へ、上記サーマルハイウェイ５１からの熱へ輸送する。なお、ポンプ５９は、上記サーマルハイウェイ５１からの熱を、上記フリークーリング放熱器へと輸送するためのポンプである。なお、上述したフリークーリング放熱器は、例えば、上記ブレードサーバを構成する裏扉４側に設けられる。
【００４５】
続いて、上記に構成を説明した要素により構成される、本発明になる冷却システムの、電子装置の代表例であるブレードサーバにおける動作を、添付の図９を参照しながら説明する。図９は、本発明になる冷却システムの、電子装置の代表例であるブレードサーバにおける動作を示す説明図である。
図９では、図２に示したブレード６を、サーモサイフォン６４、素子６３、及びヒートパイプ６５、並びにＣＰＵ６８で代表し、他は図示していない。さらに、図９のＣＰＵ６８は、サーモサイフォン６４の表側に示している。しかし、実際には、図５（Ｂ）に示すように、サーモサイフォン６４の裏側に設けられた配線板６２に実装されて、表側からは見えない。また、素子６３も、上記図示しない配線板６２に実装されるが、説明のために、模式的に描いている。
また、矢印は配線板６２に実装された素子が発生した熱が凝縮器５５まで移動する流路（熱移動の方向）の概略を示している。
【００４６】
図９において、各ブレード６内では、ブレードサーバを構成する配線板６２上に搭載された各種の発熱素子のうち、その主な発熱源であるＣＰＵ６８、即ち、その発熱量が大きな素子６８は、各ブレード６に設けられたサーモサイフォン６４に、直接、熱的に接続する。即ち、発熱量の大きい半導体デバイスであるＣＰＵ６８は、上記サーモサイフォン６４の冷却面に接触し、もって、その熱を、上記サーモサイフォン６４に、直接、輸送している。
【００４７】
他方、冷却の不必要な素子を除いて、上述した各種のＬＳＩやメモリ素子などの発熱量の小さい半導体デバイス６３には、その一端がサーモサイフォン６４に熱的に接続した設けられたヒートパイプ６５の他端が接触して設けられており、もって、発熱量の小さい半導体デバイス６３からの熱は、上記ヒートパイプ６５を介して、やはり、サーモサイフォン６４に輸送される。
【００４８】
そして、上記複数のヒートパイプ６５からの熱と共に、その冷却面から直接輸送された熱を集めたサーモサイフォン６４は、更に、その上部において熱的に接続されたサーマルハイウェイ（気化式熱輸送デバイス）５１へ、その熱を輸送する。即ち、サーモサイフォン６４は、その凝縮部（又は、熱的接続部）６４２を形成する上壁の上面をブレードシャーシ６１（図２又は図３参照）の上部に露出しており、他方、サーマルハイウェイ５１は、その下面を上記サーモサイフォン６４の露出面に対向するように配置されており、その間の熱的接続を良好に確保している。更には、各ブレード６をシャーシ５内に挿入した際、各サーモサイフォン６４をサーマルハイウェイ５１へ熱的に接続するためのサーマルコネクタ（熱伝導接触子）７を設けることによれば、より良好な熱的接続を確保することが可能となる。即ち、本発明の冷却システムでは、従来のブレード表面に空気を流して空冷でＣＰＵ等の発熱体の冷却を行うことに代え、ヒートパイプやサーマルサイフォンによりその発熱を回収することから、冷却ファンの回転数を大幅に低減することが可能となり、省エネにもつながり、エコロジーの観点からも望ましい。
【００４９】
そして、このサーマルハイウェイ５１は、上述した動作により、ブレードサーバの内部、特に、ラック１内に設けられた各シャーシ５内部の、複数のブレード６からの熱を集め、そして、当該熱を装置の外部へ輸送するための凝縮器５５へ輸送することとなる。
【００５０】
即ち、図にも示したように、その発熱量が比較的に小さい素子等からの熱は、ヒートパイプ６５を利用することにより、一旦、サーモサイフォン６４に集めると共に、ＣＰＵ６８等の発熱量が大きな素子については、冷却能力のより大きな当該サーモサイフォン６４に、直接、接続することにより、その発熱を集め、もって、これら多数のヒートパイプ６５やサーモサイフォン６４からの熱を、更に、強制的熱輸送の採用により大きな熱輸送能力を備えたサーマルハイウェイ５１により、凝縮機５５を介して、外部へ熱を効率的に輸送するものである。より具体的には、上記の機能を実現するため、上述したヒートパイプ６５、サーモサイフォン６４、そして、サーマルハイウェイ５１は、その熱輸送量ＱＴＨにおいて、以下の式（２）の関係となっている。
【００５１】
【数２】
2010080507.tif 000004
ここで、ＱＴＨＰは、ヒートパイプ６５の熱輸送量、ＱＴＨＳは、サーモサイフォン６４の熱輸送量、ＱＴＨＨは、サーマルハイウェイ５１の熱輸送量である。
【００５２】
また、上記サーモサイフォン６４の沸騰部（又は、冷却部）６４１の表面には、上述したように、発熱量が大きな素子であるＣＰＵ６８が熱的に直接接続されて冷却されることから、従来のように、配線板６２上に搭載されるＣＰＵ６８の配置を決定する際、ブレード内での空気の流れを確保するなどの制限を必要とせず、そのため、配線板６２上に搭載する素子の密度を高めることが可能となり、高密度化が可能となる。従って、ラックマウント方式のブレードサーバなどの電子装置の全体の小型化が可能となる。加えて、上記の説明からも明らかなように、電子装置を構成する各素子の冷却には、フリークーリングを利用することから、より省電力で安価な冷却を実現することが可能となる。
【００５３】
更に、以下には、上記に詳細を説明した本発明になる冷却システムからの熱を外気へ放熱するためのシステムである、所謂、フリークーリングシステム全体の概略について、添付の図１０を参照しながら説明する。図１０は、本発明になる冷却システムからの熱を外気へ放熱するためのシステムであるフリークーリングシステムの概略を示す説明図である。２００はサーバ室、２１０はサーバ室２００の床面、２２０は配管、３００はブレードサーバである。
図１０において、上述したように、サーバ室２００内に設置され、上述した本発明の冷却システムを内部に搭載した単数又は複数のブレードサーバ３００からの熱は、上記図８（Ａ）又は８（Ｂ）に示した空冷又は水冷の凝縮器５５又は５５’から、当該サーバ室の床面２１０に配置された配管２２０内の冷媒（二次冷媒）を介して、例えば、屋外に配置されたフリークーリングシステムへ輸送される。なお、このフリークーリングシステムは、本例では、例えば、図１０にも示すように、外気に熱を放出する外気冷却ユニット（高性能冷媒冷却塔）と共に、冷水−冷媒熱交換器を介して高効率熱源を含んだターボ冷凍器とを備えて構成されている。上記フリークーリングシステムでは、外気温度が低い場合は、クーリングタワーの水によって二次冷媒を冷やす。即ち、外気冷熱を利用することによって二次冷媒を冷やす。また、外気温度が高い場合には、冷凍機によって作られる冷水によって二次冷媒を冷やす。
【００５４】
続いて、上記の構成を説明した要素により構成される、本発明の電子装置に用いた冷却システムの代表例であるサーモサイフォンにおける動作について、添付図１１を参照して説明する。図１１は、本発明の一実施例のサーモサイフォンについて、側面（図５（Ｂ）の右側）から見た断面図である。１１０１は凝縮部６２２の下面、１１０２は切り欠き、１１０３は液体冷媒の液面である。
図５の説明において、凝縮フィン６４３が伸びた方向（長手方向）に直交して、複数の凝縮液排除／案内フィン６４４が設けられ、凝縮液排除／案内フィン６４４の中央部が「Ｕ」字形に切り欠かれていることは、既に述べた。
この切り欠きの理由は、この切り欠きを通して、長手方向に蒸気を通すための蒸気流路６４５を形成し、長手方向に伸びた凝縮部（又は、熱的接続部）６４２に、まんべんなく蒸気を行き渡らせて効率良く冷媒の熱を吸収させるためである。従って、切り欠きの形状は、「Ｕ」字に限定する必要はない。
【００５５】
図１１において、凝縮フィン６４３では、冷媒が高温の気体から低温の液体に変わった時には、この液体は自由落下で下方の沸騰部６４６に移動することになる。しかし、凝縮フィン６４３において、冷媒が凝縮して液体となった時に、表面張力によって、速やかに液体が下方に落ちない場合がある。凝縮フィン６４３に液体冷媒が付着していると、その部分には気体（蒸気）が直接触れないので、凝縮フィン６４３の冷却効率が落ちる。さらに、冷たい液体冷媒が戻らないので沸騰部（又は、冷却部）６４１の冷却効率も落ちる。これを防ぐために、上記凝縮フィン６４３を、長手方向に連続して形成せず、所定の間隔Ｐ’でフィンの無い部分を設けている。上記凝縮フィン６４３の間隔ｄと間隔Ｐ’には、例えば、Ｐ’＞ｄの関係がある。また、間隔Ｐ’についても、式（１）から算出した臨界波長λと等しい長さ若しくは臨界波長λ未満の長さ（Ｐ’≦λ）に設定することで、凝縮液が下方へ落下し易くなる。
また、図１１の、その直下に沸騰部６４１が無い、凝縮フィン６４３の部分では、凝縮によって液体化した冷媒は、凝縮部６２２の下面１１０１に落下する。このため、落下した液体冷媒が速やかに沸騰部６４１に戻るように、凝縮部６２２の下面１１０１には、傾斜が設けられている。なお、図１７で説明したヒートパイプ１７０１の管体部１７０２の内側と同様に、この下面１１０１を、網状の金属のワイヤで形成されたメッシュ部を配置するようにしても良い。これにより、液体冷媒は、メッシュ部のメッシュに沿って、毛細管現象により下方へ降下する。
【００５６】
次に図５における多孔質の内壁面６４６の役割について述べる。この多孔質の内壁面は、サーモサイフォンにおける沸騰伝熱を促進するための伝熱面である。沸騰伝熱は、伝熱面からどのように気泡が発生するかによって、効率が大きく変化する。伝熱面には、例えば、多孔質の壁面を設けることによって、微小な凹凸を設け、沸騰によって発生した気泡が伝熱面を離れた後にも、微量に気体冷媒が凹部に捕らえられていることがある。このような凹凸があると、微量に気体冷媒が残り、残っていた気泡は、さらなる気泡の発生を大いに促進する。このため、沸騰伝熱の効果が大幅に増大する。従って、伝熱面が滑らかであるより、多孔質の壁面の方が良いということになる。従って、本発明のサーモサイフォンでも、上述したような多孔質の内壁面６４６を、ＣＰＵ６８やヒートパイプ６５が接触する面の内壁に設けたものである。
【００５７】
次に、図３又は図５においては、二つのＣＰＵ６８をサーモサイフォン６４の上下に取り付けるように配置していた。しかし、サーモサイフォンにおける沸騰伝熱は、液体中の気泡の密度が高いほど、或いは発生する気泡が多いほど良く、また、内壁面６４６表面の冷媒の液膜厚さが薄いほど、冷媒が気化する効率が良く、冷却効果が大きい。また、液体冷媒の温度が高いほど、沸騰して気化する確率が高い。従って、発熱量の大きいＣＰＵ６８を上方に設けるのが好ましい。図３又は図５においては、上方に取り付けたＣＰＵ６８の方が冷却効果が大きい。
本発明のサーモサイフォンでは、上記の理由により、ＣＰＵ６８を液面１１０３の高さ近傍に配置する（例えば、図１１に破線枠で示したＣＰＵ６８参照）ことが一番冷却効率が良い。従って、サーモサイフォン６４を取り付ける幅が十分に確保できるなら、図９に示したように、同じ高さに並べてＣＰＵ６８を取り付けるのが好ましい。
また、メモリ等の素子より、さらに熱量の小さいＬＳＩの熱を輸送しているヒートパイプ６５がサーモサイフォン６４と熱的に接合する部分では、その熱によって沸騰し気化する確率は低い。そこで、好ましくは、気泡が発生し易い上記上方のＣＰＵ６８が取り付けられた部分の高さより上の位置に取り付けるようにすれば、発生し、上昇した気泡により、気化が促進される。
【００５８】
次に、によって、本発明のサーモサイフォンの別の実施例を説明する。図１２は、本発明の一実施例のサーモサイフォンを側面から見た断面図である。１２６４はサーモサイフォン、６４２’は凝縮部、６４３’は凝縮フィンである。
図１２の実施例は、サーモサイフォン１２６４の凝縮部６４２’に設けた凝縮フィン６４３’に図１１の実施例の切り欠き１１０２が無く、長手方向に連続した形状となっている。図１１の実施例では、切り欠き１１０２と凝縮液排除／案内フィン６４４とによって、凝縮液の下方への落下をし易くしているところを、本実施例では、凝縮液排除／案内フィン６４４だけによって凝縮液を下方へ落下し易くしているものである。なお、間隔Ｐ、間隔Ｐ’は同じサーモサイフォン内部でも、全て同一の間隔である必要は無い。
【００５９】
次に、図１３によって、本発明のサーモサイフォンの他の実施例を説明する。図１３は、本発明のサーモサイフォンの他の実施例を示す断面図である。１３６４はサーモサイフォン、１３４１は沸騰部、１３４２は凝縮部、１３４４は凝縮液排除フィン、１３４５は凝縮液ガイド部材である。図１３の実施例は、図５の実施例の凝縮液排除／案内フィン６４４の替りに、上下方向の長さが短い凝縮液排除フィン１３４４と、凝縮液ガイド部材１３４５を設けたものである。
図１３のサーモサイフォン１３６４における沸騰伝熱方式では、凝縮液を沸騰部１３４１の沸騰領域６５２に戻すために、細い金属等の線材等からなる凝縮液ガイド部材１３４５の一端を凝縮液排除フィン１３４４にそれぞれ取り付け、他端をヒートパイプ６５が取り付けられる方の外壁面の内壁に取り付けたものである。この結果、凝縮部１３４２で、熱を奪われて気体から液体に戻った冷媒（即ち、凝縮液）が、凝縮液排除フィン１３４４及び凝縮液ガイド部材１３４５を流路として伝い落ち、ヒートパイプ６５側の伝熱面に戻るようなる。
また、ヒートパイプ６５をサーモサイフォン１３６４に取り付けて冷却する場合には、取り付け部の内壁面にヒートパイプ６５からの熱が与えられても、気泡が発生する確率は極めて小さい。冷却するための気泡は、主に反対側のＣＰＵ６８が取り付けられている伝熱面（内壁面６４６）で発生し、上方に移動する途中で、ヒートパイプ側の内壁面６４６に衝突することで、さらなる蒸気の発生が起きるか、若しくは、凝縮部６４２で液体に戻った冷たい冷媒によって冷却される。
【００６０】
従って、図１３の実施例によれば、凝縮液案内線１３４５によって、凝縮部６４２で液体に戻った冷たい冷媒（凝縮液）が集まるので、ヒートパイプ６５側の冷却効率が高まる。
また、凝縮液は、凝縮液ガイド部材１３４５からヒートパイプ６５側の内壁面を伝い落ちて、沸騰領域６５２の底部に戻るので、液体に戻った冷たい冷媒（凝縮液）が直接、ＣＰＵ６８側の内壁面に戻ってこない。このため、ＣＰＵ６８側の内壁面は温度が下がらい。沸騰部１３６４の沸騰領域６５２では、温度が高いほど沸騰して気化する確率が高いので、気泡の発生が順調に行われる。
なお、凝縮液ガイド部材の材質、形状、大きさについては、特に限定しない。断面が円形や方形、あるいは中空であっても良い。また、凝縮液が流れ落ち易いように、部材の表面に溝を設けても良い。
【００６１】
次に、図１４によって、本発明のサーモサイフォンの別の実施例を説明する。図１４は、本発明のサーモサイフォンの別の実施例を示す断面図である。１４６４はサーモサイフォン、１４０１は仕切り板、１４０２は開口部、１４０３は内側の流路、１４０４は外側の流路、１４４１は沸騰部、１４４２は凝縮部である。
上述したこれまでの実施例の説明において、（１）沸騰領域６５２では、素子から発生した熱を気化（沸騰）熱として吸収することによって、沸騰した気泡が液体の冷媒中に発生する。（２）そして、発生した軽い気泡が上方の凝縮部６４２に移動し、凝縮フィン６４３において熱を吸収されて再び液体に戻る。（３）さらに、液体となった冷媒が沸騰領域に戻る。上記（１）〜（３）の動作を繰り返し、サーモサイフォン中で冷却が行われることを説明した（例えば図５参照）。
【００６２】
この上記（１）〜（３）の動作をより円滑に促進するための１つのポイントとして、気体（気泡）の上方向への移動と、液体（凝縮液）の下方向への移動が、何ら障害無く行われる必要がある。しかし、気体と液体とが同一の流路を通ることは、このサイクルを促進する妨げになることが考えられる。そこで、図１４の実施例は、上昇する気泡の理流路と下降する凝縮液の流路を分離したものである。１４６４はサーモサイフォン、１４０１は仕切り板、１４０２は開口部、１４０３と１４０４は流路、１４４１は沸騰部、１４４２は凝縮部である。
即ち、図１４において、サーモサイフォン１４６４の内部に、長手方向に伸びる仕切り板１４０１を設け、中央部天井に気泡が通過するための開口部１４０２を設け、仕切り板１４０１の内側の流路１４０３を気泡が上昇し、仕切り板１４０１の外側であって、サーモサイフォン１４６４の内壁面側の流路１４０４を凝縮液が落下するようにしたものである。
図１４の結果、気泡の上昇と凝縮液の下降が円滑に行われるため、サーモサイフォンによる冷却のサイクルがより効率よく実現できる。
なお、仕切り板１４０１および開口部１４０２の形状や数は、この実施例に限定するものではない。
【００６３】
次に、図１５によって、本発明のサーモサイフォンの別の実施例を説明する。図１５は、本発明のサーモサイフォンの別の実施例を示す断面図である。１５６４はサーモサイフォン、１５０１は誘導板、１５４１は沸騰部である。
サーモサイフォンは、図５で説明したように、内壁面６４６のうち、ＣＰＵ６８が熱的に接続された内壁面が高温となる。そして、高温の方が冷媒の沸騰が起き易く、従って気泡の発生量が格段に多い。一方、内壁面６４６のうち、ヒートパイプ６５が熱的に接続された内壁面は、もともと発熱量の少ない素子６３からの熱を伝えているため、余り温度が上がらず、従って気泡の発生量も少ない。また、多孔質の内壁面６４６は、少しでも気泡が残っているほうが、気泡ができ易いことも図５の説明時に述べた通りである。
図１５の実施例は、温度が高いため、気泡が発生し易いＣＰＵ６８側の内壁面に、誘導板１５０１をヒートパイプ６５側の内壁面に向かって延伸し、かつ斜め上方向に設け、ＣＰＵ６８側の内壁面で発生した気泡が、ヒートパイプ６５側の内壁面に移動するようにしたものである。
【００６４】
これによって、ＣＰＵ６８等、発熱量が多い部品が結合された内壁面で発生する気泡が、誘導板１５０１を伝って、ＣＰＵ６８よりもその発熱量の小さな素子６３が結合しているヒートパイプ６５側の内壁面に達し、気泡の発生を助長することによって、冷却効率が向上する。
なお、好ましくは、ＣＰＵ６８等、発熱量が多い部品の取り付け高さより、ヒートパイプの取り付け高さを上方に配置することにより、図１５の実施例による冷却効率がさらに向上する。しかし、サーモサイフォンの外壁すべての取り付け部について、ヒートパイプの取り付け高さを上にすることは不可能であるので、相対的に比較するか、あるいは選択的（ＣＰＵ６８等の高発熱素子と対向するヒートパイプ６５に関わる低発熱素子６３を選択する）に比較するようにすれば良い。
また、誘導板１５０１の長さ、傾斜角度、形状、等は、サーモサイフォンの内部で全て同一である必要は無い。
【００６５】
ところで、サーモサイフォンは、銅等の極めて薄い金属板（例えば、板厚が約１ｍｍ）で作成されている。作成時には、内部の圧力を真空ポンプで０．１Ｐａ程度まで下げて、脱気した純水を入れる。純水が１００℃まで温度上昇した場合に、内圧は１０１０００Ｐａ程度に上昇する。これは、ほぼ海面上での大気圧（約１０１３０００Ｐａ）に相当する。しかし、この内圧に達していないときには、板厚が薄いために、大気圧と内圧との圧力差によって、内側水平方向にへこむことが考えられる。
そのため、サーモサイフォンでは、横方向に支持用の部材を設け、内側から支えることが望ましい。本発明の別の実施例においては、図１６に示すように、横方向に傾斜を持たせた支持用の部材を設け、内側から支えている。図１６は、本発明のサーモサイフォンの別の実施例を示す断面図である。１６６４はサーモサイフォン、１６０１は支持用部材、１６０２と１６０３は支持部材１６０１の端部、１６４１は沸騰部である。
【００６６】
図１６の実施例の支持用部材１６０１の一方の端部１６０２は、ＣＰＵ６８等、発熱量が多い部品が、ヒートパイプ６５を介さず、サーモサイフォン１６６４の外壁に熱的に結合している側の内壁面に取り付けられ、他方の端部１６０３が上記ＣＰＵ６８よりもその発熱量の小さな素子６３が、ヒートパイプ６５を介して、サーモサイフォン１６６４の外壁に熱的に結合している側の内壁面に取り付けられている。
また、端部１６０２の取り付け高さは、端部１６０３の取り付け高さより低く取り付けている。
【００６７】
これによって、ＣＰＵ６８等、発熱量が多い部品が結合された内壁面で発生する気泡が、支持部材１６０１を伝って、ＣＰＵ６８よりもその発熱量の小さな素子６３が結合しているヒートパイプ６５側の内壁面に達し、気泡の発生を助長することによって、冷却効率が向上する。即ち、支持部材１６０１は、図１５で説明した誘導板１５０１を兼ねる。
なお、好ましくは、図１５の実施例と同様に、ＣＰＵ６８等、発熱量が多い部品の取り付け高さより、ヒートパイプの取り付け高さを上にするようにすることにより、図１６の実施例による冷却効率がさらに向上する。
図１６の実施例によれば、支持用部材が、サーモサイフォンのへこみを防止すると共に、冷却効率を向上させることができる。
なお、図１５の実施例の誘導板１５０１と図１６の実施例の支持部材１６０１とを混在したサーモサイフォンであっても良い。また、図１６の支持部材を、傾斜の無い略水平な支持部材とし、図１５の実施例の誘導板１５０１と組み合わせても良い。
【００６８】
次に、本発明の電子装置に用いる冷却構造の別の実施例を図１８によって説明する。図１８は、本発明の電子装置に用いる冷却システムにおけるサーモサイフォンの構成を示す図である。１８６４はサーモサイフォン、１８０１は仕切り板、１８０２は開口部、１８０３は内側の流路、１８０４は外側の流路、１８４１は沸騰部、１８４２は凝縮部である。
図１４の実施例のサーモサイフォンにおいては、仕切り板１４０１がＣＰＵ６８等の発熱量の多い素子が直接サーモサイフォンの沸騰部と熱的に結合する外壁の内壁面にも設けられていた。そうすると、凝縮部から落下してきた冷たい液体冷媒が、沸騰現象を妨げる虞がある。図１４の実施例では、この対策として仕切り板１４０１を長手方向側に全面設けず、ＣＰＵ６８が熱的に結合している部分に相当する内壁面の部分には、仕切り板１４０１を設けないようにする場合がある。
しかし、図１８の実施例では、仕切り板１８０１を一方向の斜面状に形成し、凝縮部１８４２から落下する液体冷媒の流路１８０４をヒートパイプ６５が熱的に結合する外壁の内壁面にだけ設けるようにしたものである。
【００６９】
即ち、ＣＰＵ６８等の発熱量の多い素子が直接サーモサイフォンの外壁の内壁面では、冷たい液体冷媒が落下してこないので、沸騰部１８４１では、気泡が順調に発生し、発生した気泡は、液体冷媒が存在しない内側の流路１８０３を通って、開口部１８０２から凝縮部１８４２に移動する。移動した気泡（蒸気）状態の冷媒は、凝縮部１８４２で熱を奪われて液体（凝縮液）に変化する。熱を奪われた冷たい凝縮液は、凝縮液排除フィン１３４４及び凝縮液ガイド部材１３４４から伝い落ち凝縮部１８４２の下面及び仕切り板１８０１に落下し、外側の流路１８０４を通って、ヒートパイプ６５側の伝熱面に戻るようなる。
図１８の実施例によれば、上昇する気泡と落下する凝縮液が、互いに邪魔することが無いので、円滑に移動できるため、冷却効率が向上する。
なお、仕切り板１４０１の形状や数、及び開口部の形状、数、位置は、この実施例に限定するものではない。
【図面の簡単な説明】
【００７０】
【図１】本発明の電子装置用冷却システムを採用したラックマウント方式のブレードサーバの外観斜視図である。
【図２】上記ブレードサーバのラック内に設けられるシャーシの一つを、その内部に挿抜可能なブレードと共に示す外観斜視図である。
【図３】上記シャーシ内に挿入されるブレードの一つを取り出して、その内部詳細を示す図である。
【図４】本発明の電子装置用冷却システムを構成するヒートパイプの構造の一例を示す断面図である。
【図５】本発明の電子装置用冷却システムを構成するサーモサイフォンの構造の一例を示す断面図である。
【図６】本発明の電子装置用冷却システムを構成するサーマルハイウェイの構造の一例を示す断面図である。
【図７】本発明の電子装置用冷却システムを構成するサーマルコネクタの構造の一例を示す断面図である。
【図８】本発明の電子装置用冷却システムを構成する凝縮器の構造の例を示す断面図である。
【図９】本発明になる冷却システムの、電子装置の代表例であるブレードサーバにおける動作を示す説明図である。
【図１０】本発明になる冷却システムからの熱を外気へ放熱するためのシステムであるフリークーリングシステムの概略を示す説明図である。
【図１１】本発明の一実施例のサーモサイフォンを側面から見た断面図である。
【図１２】本発明の一実施例のサーモサイフォンを側面から見た断面図である。
【図１３】本発明のサーモサイフォンの一実施例を示す断面図である。
【図１４】本発明のサーモサイフォンの一実施例を示す断面図である。
【図１５】本発明のサーモサイフォンの一実施例を示す断面図である。
【図１６】本発明のサーモサイフォンの一実施例を示す断面図である。
【図１７】本発明のサーモサイフォンの一実施例を示す断面図である。
【図１８】本発明のヒートパイプの一例の断面図である。
【符号の説明】
【００７１】
１…ラック、２…筐体、３、４…蓋体、５…シャーシ、６…ブレード、７…サーマルコネクタ、５１…サーマルハイウェイ、５２…ブレード収納空間、５３…空間、５４…バックボード、５５…空冷凝縮器、５５’…水冷凝縮器、５６…ファン、５７…配管、５８…飽和水（戻し）ポンプ、５９…ポンプ、６１…ブレードシャーシ、６２…配線板、６３…素子、６４…サーモサイフォン、６５…ヒートパイプ、６６、６６’…信号コネクタ、６７、６７’…給電コネクタ、６８…ＣＰＵ（中央演算部）、６９…接合部材、１００、１００’…フリークーリング放熱器、２００…サーバ室、２１０…床面、２２０…配管、３００…ブレードサーバ、５１２…チャンバ、５１３…液散布管（又は液分配供給管）、５１４…気化促進部、５１５、５１６…配管、５１８…ノズル、６４１…沸騰部（又は、冷却部）、６４２、６４２’…凝縮部（又は、熱的接続部）、６４３、６４３’…凝縮フィン、６４４…凝縮液排除／案内フィン、６４５、６４５’…蒸気流路、６４６…多孔質の内壁面、６５２…沸騰領域、７０１…バルーン、７０２…板状部材、７０３…グリース、７０４…Ｏリング、７０５…接着剤、７０６…熱伝導性部材、１１０１…凝縮部の下面、１１０２…切り欠き、１１０３…液体冷媒の液面、１２４４…凝縮液排除フィン、１２４５…凝縮液案内線、１３４１…沸騰部、１３４２…凝縮部、１３４４…凝縮液排除／案内フィン、１３４５…凝縮液ガイド部材、１３６４…サーモサイフォン、１４０１…仕切り板、１４０２…開口部、１４０３…内側の流路、１４０４…外側の流路、１４４１…沸騰部、１４４２…凝縮部、１４６４…サーモサイフォン、１５０１…誘導板、１５４１…沸騰部、１５６４…サーモサイフォン、１６０１…支持用部材、１６０２、１６０３…支持用部材の端部、１６４１…沸騰部、１６６４…サーモサイフォン、１７０１…ヒートパイプ、１７０２…管体部、１７０３…メッシュ部、１７０４…中央部の空間、１８０１…仕切り板、１８０２…開口部、１８０３…内側の流路、１８０４…外側の流路、１８４１…沸騰部、１８４２…凝縮部、１８６４…サーモサイフォン。
【図１】
2010080507.tif 000005
【図２】
2010080507.tif 000006
【図３】
2010080507.tif 000007
【図４】
2010080507.tif 000008
【図５】
2010080507.tif 000009
【図６】
2010080507.tif 000010
【図７】
2010080507.tif 000011
【図８】
2010080507.tif 000012
【図９】
2010080507.tif 000013
【図１０】
2010080507.tif 000014
【図１１】
2010080507.tif 000015
【図１２】
2010080507.tif 000016
【図１３】
2010080507.tif 000017
【図１４】
2010080507.tif 000018
【図１５】
2010080507.tif 000019
【図１６】
2010080507.tif 000020
【図１７】
2010080507.tif 000021
【図１８】
2010080507.tif 000022